(57)【要約】【課題】従来の歯科診療装置における排水トラップは、水溜用カップを排水トラップ本体にねじ込み式で螺着していたため、着脱に手間がかかった。また、フィルターを上下逆にして入れると水溜用カップ取付の際にネジがしまりきらずシールが不十分になることがあった。【解決手段】排水トラップ本体への水溜用カップの取り付けを前記排水トラップ本体の外周下部に設けた係合部と水溜用カップの内壁に突設した係合突起部とにより行うことで水溜用カップの着脱を容易にし、また、フィルターの下端部にバヨネット式の脱着部とを設け、上下を異なる形状とすることでフィルターの水溜用カップへの取付けミスを防止することができる歯科診療装置における排水トラップを提供する。【選択図】図１
2014140518.tif 000002
【特許請求の範囲】
【請求項１】
排水トラップ本体の下部に、水溜用カップを装着してなる歯科治療装置における排水トラップであって、前記排水トラップ本体の外周下部に水溜用カップをバヨネット式の係合機構で装着してなることを特徴とする歯科治療装置における排水トラップ。
【請求項２】
前記排水トラップ本体（１）の外周下部に水溜用カップ（５）との係合部（９）を設けるとともに、前記水溜用カップ（５）内壁に前記排水トラップ本体（１）の係合部（９）に係合する係合突起部（１１）を突設してなることを特徴とする請求項１に記載の歯科診療装置における排水トラップ。
【請求項３】
前記排水トラップ本体（１）の外周下部に設けた係合部（９）が、前記水溜用カップの（５）内壁に突設した係合突起部（１１）をガイドするための入口から進行方向に上向きに傾斜した傾斜面でなるガイド部（９ａ）と、該ガイド部（９ａ）上に設けられ前記水溜用カップの係合突起をロックするロック用前段突起（９ｂ）とロック用後段突起（９ｃ）とからなることを特徴とする請求項１又は２に記載の歯科診療装置における排水トラップ。
【請求項４】
前記水溜用カップ（５）の内壁に筒状のフィルター（６）を係合するためのフィルター係合突起（１０）を設けたことを特徴とする請求項１から３のいずれか１に記載の歯科診療装置における排水トラップ。
【請求項５】
前記水溜用カップ（５）内に、排水トラップ本体（１）の管路外筒（４）内及び水溜用カップ（５）内に装着される筒状のフィルターであって、該フィルターの下端に固定された複数の軸（７ａ）と該軸（７ａ）に接続された円筒（７ｂ）、該円筒（７ｂ）に設けられた前記水溜用カップ内壁のフィルター係合突起（１０）を係合するためのガイド部（１２ａ）及びストッパー部（１２ｂ）とからなる係合構（１２）を備えたフィルター（６）を取り付けたことを特徴とする請求項１から４のいずれか１に記載の歯科診療装置における排水トラップ。
【発明の詳細な説明】
【技術分野】
【０００１】
本発明は排水トラップに関し、特に歯科診療装置に好適な排水トラップに関する。
【背景技術】
【０００２】
歯科診療装置の排水トラップは歯科診療の際、臭気の逆流を防ぎ、また排水中の汚物を除去するため、診療装置の排水路に設置される。
従来の歯科診療装置における排水トラップの構造を、図７の縦断面図、図８のフィルターの斜視図で示す。  
図７に示すように、従来の構造の排水トラップは、外周下部に水溜用カップ２１を螺着する雄ねじ部２４を形設した円筒状のトラップ本体２０の上部に管路入口２０ａを立設し、また上部側壁に管路出口２０ｂを横設してなり、該トラップ本体２０内に図８に示す下端に把手２２ａを突設した円筒状のフィルター２２と、リング状のパッキング２３とを収納し、前記雄ねじ部２４に螺合する雌ねじ部２５を内壁に有する水溜用カップ２１を前記トラップ本体２０に螺着して締め付けて一体として構成され、常時はトラップ本体２０を排水路に固着して使用されている。
歯科診療装置から排出される排水は管路入口２０ａからトラップ本体２０内に流入して水溜用カップ２１に溜まり、フィルター２２を通過して管路出口２０ｂから排出される。パッキング２３は水溜用カップ２１からの漏水防止用である。
フィルター２２に溜まった汚物を定期的に除去しトラップ本体を清掃するため、水溜用カップ２１を取り外す必要があるが、図示したように、水溜用カップ２１は、トラップ本体２０に螺着されていたため、取り外し、取付けに手間がかかった。
また、フィルター２２とその下部のパッキング２３は各々独立しており、かつフィルター２２は筒状のため、上下を逆にしてもトラップ本体２０に入るので、フィルター２２を上下逆に取り付けるミスが発生するという問題があった。
【先行技術文献】
【特許文献】
【０００３】
【特許文献１】特開平７−９５９９２号公報
【発明の概要】
【発明が解決しようとする課題】
【０００４】
本発明は、前記従来の排水トラップの問題を解決し、トラップ本体への水溜用カップの着脱を容易にし、かつ、フィルターの水溜用カップへの取付けミスを防止するとともにその着脱を容易にした歯科診療装置における排水トラップを提供する。
【課題を解決するための手段】
【０００５】
上記に鑑み本発明者等は鋭意実験研究の結果下記の手段により課題を解決した。
（１）排水トラップ本体の下部に、水溜用カップを装着してなる歯科治療装置における排水トラップであって、前記排水トラップ本体の外周下部に水溜用カップをバヨネット式の係合機構で装着してなることを特徴とする歯科治療装置における排水トラップ。
（２）前記排水トラップ本体の外周下部に水溜用カップとの係合部を設けるとともに、前記水溜用カップ内壁に前記排水トラップ本体の係合部に係合する係合突起を突設してなることを特徴とする（１）記載の歯科診療装置における排水トラップ。
（３）前記排水トラップ本体の外周下部に設けた係合部が、前記水溜用カップの内壁に突設した係合突起をガイドするための入口から進行方向に上向きに傾斜した傾斜面でなるガイド部と、該ガイド部上に設けられ前記水溜用カップの係合突起をロックするロック用前段突起とロック用後段突起とからなることを特徴とする（１）又は（２）に記載の歯科診療装置における排水トラップ。
（４）前記水溜用カップの内壁に筒状のフィルターを係合するためのフィルター係合突起を設けたことを特徴とする（１）から（３）のいずれか１に記載の歯科診療装置における排水トラップ。
（５）前記水溜用カップ内に、排水トラップ本体の管路外筒内及び水溜用カップ内に装着される筒状のフィルターであって、該フィルターの下端に固定された複数の軸と該軸に接続された円筒、該当円筒に設けられた前記水溜用カップ内壁のフィルター係合突起を係合するためのガイド部及びストッパー部とからなる係合構を有するバヨネット式着脱部を備えたフィルターを取り付けたことを特徴とする（１）から（４）のいずれか１に記載の歯科診療装置における排水トラップ。
【発明の効果】
【０００６】
本発明の歯科診療装置における排水トラップによって下記の効果が発揮される。
（１）、（２）の発明によれば、
排水トラップ本体下部に、水溜用カップを装着してなる歯科診療装置における排水トラップであって、
前記排水トラップ本体の外周下部に水溜用カップとの係合部を設けるとともに、前記水溜用カップ内壁に前記排水とラップ本体の係合部に係合する係合突起を突設しているので、水溜用カップを排水トラップから容易に着脱することができる。
【０００７】
（３）の発明によれば、
前記排水トラップ本体の外周下部に設けた係合部が、前記水溜用カップの内壁に突設した係合突起をガイドするための入口から進行方向に上向きに傾斜した傾斜面でなるガイド部と、該ガイド部上に設けられ前記水溜用カップの係合突起をロックするロック用前段突起とロック用後段突起とからなるので、水溜用カップを排水トラップから容易に着脱することができるともに、水溜用カップを排水トラップに密接に取り付けることができる。
【０００８】
（４）、（５）の発明によれば、
前記水溜用カップ内に、排水トラップ本体の管路外筒内及び水溜用カップ内に装着される筒状のフィルターであって、該フィルターの下端に固定された複数の軸と該軸に接続された円筒、該当円筒に設けられた前記水溜用カップ内壁のフィルター係合突起を係合するためのガイド部及びストッパー部とからなる係合構を有するバヨネット式着脱部を備えたフィルターを取り付けたため、フィルターの上下逆方向の取付けミスを防止することができるので、フィルターを逆方向に入れたまま水溜用カップを取り付けて、従来のようにトラップ本体２０の中でフィルターが引っかかることにより水溜用カップのネジが閉まりきらずシールが不十分となって水漏れするようなことが無くなる。
【図面の簡単な説明】
【０００９】
【図１】排水トラップの外観斜視図
【図２ａ】排水トラップ本体の外観斜視図
【図２ｂ】排水トラップ本体の係合部の作用を示す図
【図３】水溜用カップの縦断面図
【図４】フィルターの外観斜視図
【図５】排水トラップの透視図
【図６】排水トラップの縦断面図
【図７】従来の排水トラップの縦断面図
【図８】従来のフィルターの外観斜視図
【発明を実施するための形態】
【００１０】
発明を実施するための形態を以下に実施例の図に基づいて説明する。
図１は、排水トラップの外観斜視図で、排水トラップ本体１に水溜用カップ５を係合して一体とした排水トラップを表わしている。
図において、１は排水トラップ本体、２は管路、２ａは管路入口、３は排水管路、３ａは管路出口、４は管路外筒、４ａはフランジ、５は水溜用カップ、１３は排水トラップを歯科診療装置のユニット本体内（図示せず）に設けられた前記排水トラップ本体１が取り付けられる枠板である。
【００１１】
歯科診療装置のベースンからの汚水は、上部の管路２の管路入口２ａを通り排水トラップに一定量が貯留され、増水分は荒ゴミの汚物を貯留するフィルターの網目を通して排水管路３の管路出口３ａより排水される。
【００１２】
図２ａは排水トラップ本体の外観斜視図である。
図において、９は排水トラップ本体１に設けられた水溜用カップ５を係合するための係合部，９ａは入口から進行方向に上向きに傾斜を設けた傾斜面でなるガイド部、９ｂは前記水溜め用カップの係合突起をロックするロック用前段突起、９ｃは前記水溜め用カップの係合突起をロックするロック用後段突起、９ｄはガイド部入口を示す。
前記、排水トラップ本体に設けられたカップとの係合部９は、後記（図３）に示す水溜用カップ５の内壁上端に突設された半円柱かまぼこ状の係合突起１１が、係合される部分である。
１４ａ、１４ｂは前記排水トラップ本体の下部に設けられたフランジであり、フランジ１４ａと１４ｂで構成される空間に前記係合部９が構成されている。
前記排水トラップ本体１に水溜用カップ５を取り付けるには水溜用カップ５の内壁上端に突設された係合突起１１を前記ガイド部入口９ｄの位置に合わせ水溜用カップ５を上方に押し込むように持ち上げ右方向に回転し水溜用カップ５の係合突起１１を前記ロック用前段突起９ｂに当たるまで前記ガイド部９ａ上を移動させる。さらに前記水溜用カップ５を右方向に回転させ水溜用の係合突起１１が前記ロック用前段突起９ｂを乗り越え前記ロック用後段の突起９ｃに達して停止するまで回転させる。
また、排水トラップ本体１から水溜用カップ５を取り外す時は、上記と逆の操作をすれば良く、水溜用カップ５を左方向に回転させ前記カップ係合突起１１を前記ロック用前段突起９ｂを乗り越えてガイド部入口９ｄまで回転させる。その後水溜用カップ５を下側に引くと排水トラップ本体１から取り外される。
【００１３】
図２ｂは、前記排水トラップ本体の係合部の作用を示す図で図２ａにおいてフランジ１４ａを削除した状態を上方向から見た説明図である。
図において、１１ａはガイド部９ａを進行中のカップ係合突起１１で、１１ｂは係合突起１１がロック用前段突起９ｂを乗り越えて、ロック用後段突起９ｃにより停止してロックされた状態を示す。
【００１４】
図３は、水溜用カップの縦断面図である。
図において１０はフィルター係合突起、１１はカップ係合突起を示す。
本実施例では、内壁の上端部には９０度毎に４個のカップ係合突起１１が、内壁の中央部に９０度毎に４個のフィルター係合突起１０が突設されている。
本実施例において前記水溜用カップは合成樹脂で成形されているので前記したように排水トラップ本体１に水溜用カップ５を着脱させるとき水溜用カップ５のカップ係合突起１１が排水トラップ本体１に設けられている係合部のロック用前段突起９ｂを、素材の合成樹脂の弾力を利用して乗り越えることができる。
なお、前記水溜用カップ５が確実に排水トラップ本体１に係合されるものであれば、カップ係合突起１１の個数はこれに限定されるものではない
また後記フィルター６が確実に水溜用カップ５に係合されるものであれば、前記フィルター係合突起の位置や個数はこれに限定されるものではない。
【００１５】
図４はフィルターの外観斜視図である。
図において、６は筒状のフィルター、７はフィルター６の下端に設けられたバヨネット式着脱部で複数の軸７ａと該軸７ａと接続された円筒７ｂとから構成されている。なを、７ｃは前記軸７ａ間に構成される隙間である。８は前記フィルター６の下部に設けられている溝に嵌め込まれたＯリング、１２は前記バヨネット式着脱部の円筒７ｂに設けられた係合溝でガイド部１２ａ及びストッパー部１２ｂから構成されている。
前記フィルター６は上部が前記排水トラップ本体１の管路外筒４内に挿入され、下端に設けられたバヨネット式着脱部７の円筒７ｂが前記水溜用カップの内面に密着するように構成されている。また、フィルター６の底部には把手６ａが設けられている（図６参照）。
【００１６】
図５は、排水トラップの透視図である。
図示したように、前記水溜用カップ５内にフィルター６が装着されている。
前記水溜用カップ５内にフィルター６を装着するには、フィルター６のバヨネット式着脱部７に設けられている係合溝１２のガイド部１２ａを水溜用カップ５内に設けられている前記フィルター係合突起１０に上から落とし込み、前記フィルター係合突起１０がストッパー部１２ｂによって止まるまでフィルター６を右方向に回転させる。
【００１７】
図６は排水トラップの縦断面図である。
図示したように、フィルター６が装着された水溜用カップ５が排水トラップ本体１に装着されている。図において６ａはフィルター６の底部に設けられた把手である。
前記水溜用カップ５を排水トラップ本体１に装着するには、図２ａ及び図２ｂで示すように水溜用カップ５内の上端に設けられている係合突起１１を排水トラップ本体１に設けられた係合部９のガイド部入口９ｄのまで持ち上げ、係合部９のロック用前段突起９ｂを乗り越えてロック用後段突起９ｃによって止まるまで右方向に回転させる。
【００１８】
本発明は上記のように構成されているので、排水トラップ本体１を清掃するときは、
図２ａ及び図２ｂで示すようにまず、前記水溜用カップ５を掴み前記カップ係合突起１１が前記ロック用前段突起９ｂを乗り越えてガイド部入口９ｄに来るまで左方向に回転させる。その後水溜用カップ５を下側に引くと排水トラップ本体１から取り外される。
そして、水溜用カップ５内に装着されているフィルター６の先端部を掴み、水溜用カップ５内に設けられているフィルター係合突起１０が、フィルター６のバヨネット式着脱部７に設けられているガイド部１２ａの位置に来るまでフィルター６を左方向に回転させ、その位置でフィルター６を持ち上げるか又は水溜用カップ５を下にさげ、フィルター６を水溜用カップ５から取り外す。
このフィルターを取り外す時、排水トラップからこぼれる汚水が、フィルター６のバヨネット式着脱部の軸７ａ間に構成される隙間７ｃを通って、カップ内に流れ込むようにしている。このような適切な大きさの隙間７ｃが無いと、汚水が水溜用カップ内に速やかに流れないので、水溜用カップの外に溢れてしまうが、前記フィルター６はバヨネット式着脱部に隙間７ｃを設けることで汚水が水溜用カップの外に溢れるのを防止している。
これにより排水トラップ本体１、フィルター６、水溜用カップ５を清掃することができる。
【００１９】
次に排水トラップ本体１、水溜用カップ５、フィルター６を清掃した後、排水トラップ本体１を装着するときは、まず、フィルター６をバヨネット式着脱部７に設けられているガイド部１２ａを水溜用カップ５内に設けられているフィルター係合突起１０に上から落とし込み、前記フィルター係合突起１０がストッパー部１２ｂによって止まるまでフィルター６を右方向に回転させてロックする。
本実施例は、フィルター上部の形状と下部の形状が異なること、またフィルターをバヨネット式着脱部に設けられている係合溝１２と水溜用カップ５内に設けられているフィルター係合突起１０とを係合することでフィルターを上下逆方向に装着することを防止できる。
これにより、フィルターを逆方向に入れたまま水溜用カップを取り付けて、従来のようにトラップ本体１の中でフィルターが引っかかることにより水溜用カップのネジが閉まりきらずシールが不十分となって水漏れするようなことが無くなる。
その後フィルター６が装着された水溜用カップ５を、図２ａ及び図２ｂに示すように水溜用カップ５内の上端に設けられている係合突起１１を排水トラップ本体１に設けられた係合部９のガイド部入口９ｄのまで持ち上げ、係合部９のロック用前段突起９ｂを乗り越えてロック用後段突起９ｃによって止まるまで右方向に回転させる。
【符号の説明】
【００２０】
１：排水トラップ本体          
２：管路
２ａ：管路入口
３、３ａ：管路出口
４：管路外筒
４ａ：フランジ
５：水溜用カップ                    
６：フィルター
６ａ：把手
７：フィルターの下端に設けられたバヨネット式着脱部
７ａ：軸
７ｂ：円筒
７ｃ：隙間
８：Ｏリング
９：排水トラップ本体に設けられたカップとの係合部
９ａ：ガイド部
９ｂ：ロック用前段突起
９ｃ：ロック用後段突起
９ｄ：ガイド部入口
１０：フィルター係合突起
１１：カップ係合突起
１２：係合溝
１２ａ：ガイド部
１２ｂ：ストッパー部
１３：枠板
１４ａ、１４ｂ：フランジ
２０：従来のトラップ本体
２０ａ：管路入口
２０ｂ：管路
２１：水溜用カップ
２２ａ：把手
２２：フィルター
２３：円形のパッキン
２４：雄ねじ部
２５：雌ねじ部
【図１】
2014140518.tif 000003
【図２ａ】
2014140518.tif 000004
【図２ｂ】
2014140518.tif 000005
【図３】
2014140518.tif 000006
【図４】
2014140518.tif 000007
【図５】
2014140518.tif 000008
【図６】
2014140518.tif 000009
【図７】
2014140518.tif 000010
【図８】
2014140518.tif 000011